(57)【要約】【課題】            コンパクトな構成において、紙葉類の重送が生じたときにも誤った処理を施すことなく、重送された紙葉類を除去して紙葉類に対する処理を継続して効率的に行え、処理後の紙葉類の取り扱いが容易な紙葉類処理装置を提供する。【解決手段】        紙葉類を積載する紙葉類載置台１３、紙葉類載置台１３に積載された最下部の紙葉類１２を吸着分離して次段に搬送する吸着搬送装置２と、処理済紙葉類を積載する計数紙葉類受け部材２９と、吸着搬送装置２から搬送される紙葉類１２を計数紙葉類受け部材２９まで搬送する転送装置２０と、転送装置２０で紙葉類１２を搬送する間に紙葉類１２を計数するセンサー装置２１を備え、計数紙葉類受け部材２９は、積載された処理済紙葉類を振動させる振動モータ３２と、吸着搬送装置２が吸着のために吸い込んだ空気を積載された紙葉類１２に向けて吹き付ける送風ダクト３３を有する。【選択図】          図１
2006347652.tif 000002
【特許請求の範囲】
【請求項１】
紙葉類を積載する紙葉類積載手段と、紙葉類積載手段に積載された最下部の紙葉類を吸着分離して次段に搬送する吸着搬送手段と、処理済紙葉類を積載する処理済紙葉類積載手段と、吸着搬送手段から搬送される紙葉類を処理済紙葉類積載手段まで搬送する搬送手段と、搬送手段で紙葉類を搬送する間に紙葉類に所定の処理を施す処理手段を備え、処理済紙葉類積載手段は、積載された処理済紙葉類を振動させる振動手段と、吸着搬送手段が吸着のために吸い込んだ空気を積載された紙葉類に向けて吹き付ける空気吹付手段を有することを特徴とする紙葉類処理装置。
【請求項２】
搬送手段により紙葉類を搬送する搬送経路の途中に、通過する紙葉類を検知する紙葉検知手段と紙葉類を搬送手段の搬送経路から離脱させる離脱手段を備え、紙葉検知手段が重送または連鎖搬送を検知した場合に離脱手段により搬送手段の搬送経路から紙葉類を排除し、運転を継続することを特徴とする請求項１に記載の紙葉類処理装置。
【発明の詳細な説明】
【技術分野】
【０００１】
本発明は紙葉類処理装置に関し、積載された紙葉類を紙葉毎に給紙して処理する技術に係るものである。
【背景技術】
【０００２】
従来、この種の紙葉類処理装置は、印刷機、複写機、紙幣計数機、選挙投票用紙計数機、に利用されており、その給紙機能として、重送とならないように正確に紙葉毎に分離でき、斜行搬送等によるジャムのない給紙が求められている。
【０００３】
紙葉類処理装置には、例えば特許文献１に記載するものがある。これは、積載用紙の前端部を上から加圧手段で押さえ、搬送手段を駆動して用紙を繰り出し、規制部材で規制しながら下から順に用紙を送り出す紙葉類処理装置であり、搬送手段を駆動して用紙を繰り出すとき、その繰り出し用紙の腰の強さなど紙質に応じて、規制部材が適宜に撓んで繰り出し量を規制するものである。
【０００４】
また、特許文献２に記載するものは、シート積載手段にシートを積載し、積載されたシートのうちの最下部のシートを吸着搬送手段の吸着部で吸着して搬送し、シート積載手段に積載されているシート群の下部に前方から空気を吹き付けることで、シート積載部に積載されている最下部のシートとその上にある他のシートとを分離するものであり、シート積載手段は、シートを積載するシート積載面を備えた積載面構成部材と、シート搬送方向下流側にゆくに従ってシート積載面に対する位置が高くなる傾斜面を備え、シート積載面上に後端シール部材を配置したものである。
【０００５】
この後端シール部材が、シート積載面に積載されたシートの後部を、シート積載面よりも高く保つことにより、シート後端部でのシートとシートとのシール性を高めて、吹き付ける空気が最下部のシートとその上のシートとの間に均一に広がる効果を奏している。
【０００６】
また、特許文献３に記載するものは、複数枚のシートを積載する積載手段と、シートの給紙方向を規制するサイド規制手段と、シートの給紙方向と交差するシート側面に空気を噴射して、積載したシートを浮上させる手段と、積載手段の上に積載されたシートの最下面のシートを真空吸着して搬送する給紙手段とを備え、シート側面に向けて少なくとも２方向に空気を噴射する１つ以上の噴射手段を有し、これらの噴射手段の噴射する空気流の向きは互いに交差しないものであり、積載手段上に積載されたシート束が、その搬送方向に沿う一側部を、２方向に噴射する噴射手段で空気を吹き付けることにより浮上され、かつ、最下面のシートがシート積載手段に真空吸着されて分離・給紙されるものである。
【０００７】
また、特許文献４に記載するものは、保持用真空チャンバが載置面上に並立する多数の紙葉類のうち先行の紙葉類を後行の紙葉類から分離する方向に吸引し、給送ベルトが保持用真空チャンバによる吸引方向と直角な方向に紙葉類を給送するものであり、載置面と給送ベルトの間に、保持用真空チャンバによる吸引方向と同一の方向に紙葉類を吸引する二つの保持用補助真空チャンバを紙葉類給送方向に並列して配設し、先行の紙葉類を保持用真空チャンバで吸引保持して給送する間、次の紙葉類を両保持用補助真空チャンバのうちいずれか一方の保持用補助真空チャンバで吸引保持するものである。
【０００８】
また、特許文献５に記載するものは、給紙される紙葉類を堆積するホッパ手段と、ホッパ手段に堆積された紙葉類を１枚ずつ繰り出す分別手段と、分別手段により繰り出された紙葉類を走行ガイドに沿って搬送する搬送手段と、繰り出された紙葉類の搬送手段途中に設けられ、搬送される紙葉類の真偽や種類を判別する判定センサ手段と、判定センサ手段にて判別された紙葉類を送り出すスタッカ羽根車と、スタッカ羽根車から送り出される紙葉類を収納するスタッカ手段と、ＤＣモータ及びステッピングモータとを備えた紙葉類計数装置において、回転中のＤＣモータに逆転電圧を印加して急制動させる手段によって、計数対象外紙幣に続いて次の紙幣が搬送手段に進入することを防止するものである。
【特許文献１】特開平７−１１７８８２号公報
【特許文献２】特開平１０−１６７４８２号公報
【特許文献３】特開平９−３１５６０５号公報
【特許文献４】特開平１１−１１７１２号公報
【特許文献５】特開２０００−２５９８８３号公報
【発明の開示】
【発明が解決しようとする課題】
【０００９】
ところで、上述した従来の構成では、重送を防止するための手段として、規制部材や空気吹きつけ手段を配置しているが、特許文献１に記載するように、繰り出し用紙の腰の強さなど紙質に応じて規制部材が適宜に撓んで繰り出し量を規制する構成では、搬送手段を駆動して用紙を繰り出すときに、紙面に規制部材の縁が摺接するので、紙面に擦り傷が生じることがある。
【００１０】
また、特許文献２および３では、シート積載部に積載されている最下部のシートとその上にある他のシートとを分離する空気を吹き付ける装置が必要であり、特許文献４では、後行の紙葉を交互に保持する二つの保持用補助真空チャンバを必要とするので、装置が大型化するとともに、分離調整に手間がかかる問題がある。
【００１１】
また、特許文献５では、紙葉処理したものを単に積載するだけであり、対象外の紙葉や重送の場合には処理を停止するので、計数する場合には処理を最初からやり直す必要があった。
【００１２】
本発明は上記した課題を解決するものであり、コンパクトな構成において、紙葉類の重送が生じたときにも誤った処理を施すことなく、重送された紙葉類を除去して紙葉類に対する処理を継続して効率的に行え、処理後の紙葉類の取り扱いが容易な紙葉類処理装置を提供することを目的とする。
【課題を解決するための手段】
【００１３】
上記課題を解決するために、請求項１に係る本発明の紙葉類処理装置は、紙葉類を積載する紙葉類積載手段と、紙葉類積載手段に積載された最下部の紙葉類を吸着分離して次段に搬送する吸着搬送手段と、処理済紙葉類を積載する処理済紙葉類積載手段と、吸着搬送手段から搬送される紙葉類を処理済紙葉類積載手段まで搬送する搬送手段と、搬送手段で紙葉類を搬送する間に紙葉類に所定の処理を施す処理手段を備え、処理済紙葉類積載手段は、積載された処理済紙葉類を振動させる振動手段と、吸着搬送手段が吸着のために吸い込んだ空気を積載された紙葉類に向けて吹き付ける空気吹付手段を有するものである。
【００１４】
請求項２に係る本発明の紙葉類処理装置は、搬送手段により紙葉類を搬送する搬送経路の途中に、通過する紙葉類を検知する紙葉検知手段と紙葉類を搬送手段の搬送経路から離脱させる離脱手段を備え、紙葉検知手段が重送または連鎖搬送を検知した場合に離脱手段により搬送手段の搬送経路から紙葉類を排除し、運転を継続するものである。
【発明の効果】
【００１５】
以上のように本発明によれば、振動手段による振動および空気吹付手段による空気供給によって処理済紙葉類を整列させることで処理後の紙葉類の取り扱いが容易となり、紙葉検知手段が重送または連鎖搬送を検知した場合に離脱手段により搬送手段の搬送経路から紙葉類を排除して運転を継続することにより、コンパクトな構成において、紙葉類の重送が生じたときにも誤った処理を施すことなく、紙葉類に対する処理を効率的に行える。
【発明を実施するための最良の形態】
【００１６】
以下、本発明の実施の形態を図面に基づいて説明する。図１〜図７において、紙葉類処理装置１は吸着搬送手段をなす吸着搬送装置２を有している。この吸着搬送装置２は吸引給紙ベルト３を駆動ロール４と支持ロール５に掛け渡して配置し、吸引給紙ベルト３に囲まれた内部に吸引ファン６と吸引チャンバー７を配置している。
【００１７】
吸引チャンバー７は、図６に示すように、吸引給紙ベルト３の軌道面８を形成するとともに、軌道面８に開口部９を有し、開口部９が吸引ファン６に対応している。軌道面８には開口部９に続く紙葉類搬送方向の前部側に軌道面８より一段低い凹部１０を形成しており、吸引給紙ベルト３は凹部１０の形状に倣って窪みを形成しながら軌道面８の上を摺動する。
【００１８】
吸引給紙ベルト３は複数の孔１１を有し、孔１１を通して吸引ファン６の吸引力を搬送面上の紙葉類１２に作用させる。孔１１は紙葉類１２の１紙葉分毎に群をなし、複数群の孔１１を吸引給紙ベルト３に設けている。
【００１９】
吸引給紙ベルト３を介した吸引チャンバー７の上方には紙葉類１２を載置する紙葉類積載手段をなす紙葉類載置台１３を設けており、紙葉類載置台１３は吸着搬送装置２の搬送面において紙葉類１２の搬送方向後部を吸引給紙ベルト３から離間させて非接触状態に保持する。
【００２０】
紙葉類搬送方向において紙葉類載置台１３の前方には棒状の捌き部材１４が吸引給紙ベルト３の搬送面上に高さ調整可能に垂下している。捌き部材１４は紙葉類搬送方向において紙葉類１２を係止するものであり、下端が用紙載置台１３の最下部の紙葉類１２より低くなるように、位置調整する。
【００２１】
捌き部材１４は吸着搬送装置２の凹部１０に対応し、凹部１０は捌き部材１４の下端より低い形状をなす。凹部１０および捌き部材１４は単数もしくは複数を配置するものであり、本実施の形態ではそれぞれ一対を配置している。また、吸着搬送装置２および紙葉類載置台１３は、紙葉類１２の搬送方向前部が搬送方向後部より高くなるように２０°以上に傾斜した状態に紙葉類１２を保持している。
【００２２】
紙葉類搬送方向において吸着搬送装置２の終端側には従動ローラ１５ａを配置しており、従動ローラ１５ａは吸引チャンバー７の前方に配置した支持ロール５に吸引給紙ベルト３を介して対向し、紙葉類１２を吸引給紙ベルト３に付勢する。吸着搬送装置２は吸引チャンバー７において紙葉類束に対応する部位が吸着領域をなし、吸引チャンバー７から外れた位置、つまり従動ローラ１５ａに対応する部位が非吸着領域をなす。
【００２３】
吸着搬送装置２の終端位置、つまり従動ローラ１５ａから紙葉類搬送方向へ所定距離だけ離れた位置に次段の搬送手段である転送装置２０を設けており、従動ローラ１５ａと転送装置２０との間の搬送軌道上には紙葉類検知手段をなす検知センサー装置２１を配置している。センサー装置２１は光学式センサー等からなり、通過する紙葉類１２を検出し、重送や連鎖搬送を検出する機能を担っている。
【００２４】
制御装置（図示省略）はセンサー装置２１が出力する信号を受けて紙葉類１２の通過枚数をカウントし、センサー装置２１が重送を検出した場合は通過枚数にカウントせず、後述するリジェクト操作を行う。本実施の形態では、紙葉類１２の搬送経路の途中において行う処理して紙葉類１２の計数をおこなうが、印刷等の処理を行うことも可能である。
【００２５】
転送装置２０は、吸着搬送装置２から後述する処理済紙葉類積載手段としての計数紙葉類受け部材２９まで紙葉類を搬送する搬送手段をなすものであり、円筒状の転送ローラ２２と、転送ローラ２２の外周面との間に搬送軌道を形成するガイド２３を備えており、ガイド２３は紙葉類搬送方向の始端側が吸引給紙ベルト３の上に位置している。ガイド２３の複数の適当位置には従動ローラ１５ａ、１５ｂ、１５ｃを配置しており、従動ローラ１５ａ、１５ｂ、１５ｃはガイド２３に形成した開口を通して、吸引給紙ベルト３もしくは転送ローラ２２に摺接している。
【００２６】
ガイド２３の紙葉類搬送方向の終端側には、紙葉類１２の離脱手段をなすリジェクト分岐部材２４を配置しており、リジェクト分岐部材２４の前方にはリジェクト紙受け部材２５と、羽根車２６を設けている。リジェクト分岐部材２４は、紙葉類１２をリジェクト紙受け部材２５に向けて案内する位置と、紙葉類１２を羽根車２６に向けて案内する位置とにわたって回動し、通常において紙葉類１２を羽根車２６に向けて案内する位置にあり、制御装置がリジェクト操作を指示するときに紙葉類１２をリジェクト紙受け部材２５に向けて案内する位置に変移する。
【００２７】
羽根車２６はハブ２７の周囲に等間隔で複数の羽根２８を配置しており、転送装置２０により搬送する紙葉類１２を羽根２８の間に受け止めて計数紙葉類受け部材２９の上に反転させて排出する。
【００２８】
処理済紙葉類積載手段をなす計数紙葉類受け部材２９は、紙葉類１２を受け止める受け台３０と、受け台３０の両側に配置した側板３１と、振動モータ３２を備えており、受け台３０に保持する紙葉類１２を振動させながら紙葉類１２の一辺が側板３１に沿うように整列させる。
【００２９】
計数紙葉類受け部材２９の上方には空気吹付手段をなす送風ダクト３３を配置しており、送風ダクト３３は送風口３４が受け台３０に向けて開口し、基端側が吸引ファン６の排気側に連通している。吸引ファン６の排気は送風ダクト３３を通してを受け台３０の上の紙葉類１２に向けて噴出し、噴出した空気が紙葉類１２と紙葉類１２を離間させることで振動による整列を促進する。
【００３０】
以下、上記した構成における作用を説明する。吸着搬送装置２は吸引給紙ベルト３の孔１１を通して作用する吸引ファン６の吸引力によって紙葉類載置台１３に積載した最下部の紙葉類１２を吸引給紙ベルト３の搬送面に吸着し、吸引給紙ベルト３の移動に伴って紙葉類束から紙葉類１２を分離して搬送する。
【００３１】
このとき、紙葉類束の最下部の紙葉類１２は、紙葉類載置台１３によって保持された搬送方向後部を除いて、全面的に吸着搬送手段の搬送面上に吸着されて平坦に保持され、紙葉類１２の搬送方向後部は紙葉類載置台１３から搬送面上に移動する際に非吸着状態から吸着状態へと変化する。
【００３２】
このため、紙葉類束の最下部の紙葉類１２とその上の隣接する紙葉類１２との分離を促進して重送を防止することができ、折り癖のある紙葉類、例えば紙幣や選挙投票用紙でも、全体的に吸着搬送装置２の吸引給紙ベルト３の搬送面上に吸着して吸着搬送装置２による搬送力を紙葉類１２の全体に作用させることで、紙葉類の斜行やジャムの発生を防止できる。
【００３３】
また、紙葉類載置台１３および吸着搬送装置２が、紙葉類１２の搬送方向前部が搬送方向後部より高くなるように２０°以上に傾斜した状態に紙葉類１２を保持するので、紙葉類１２の自重の一部が紙葉類搬送方向の後方へ向けて分散され、積載した紙葉類１２の紙葉間における摩擦力が低減されることで重送を防止できる。
【００３４】
吸着搬送装置２により吸着分離されて吸引給紙ベルト３とともに紙葉類搬送方向に移動する紙葉類１２は、図８に示すように、凹部１０に対応する位置において、吸引給紙ベルト３の搬送面に吸着された状態で凹部１０の形状に沿って撓み、捌き部材１４の下端を潜って捌き部材１４を通過する。したがって、捌き部材１４が紙葉類１２の紙面に摺接せず、紙面に擦り傷を与えることがない。
【００３５】
吸着搬送装置２が最下部の紙葉類１２を搬送する際に、最下部の紙葉類１２の上に重なった紙葉類１２は、撓むことなく平坦な形状を維持することで用紙搬送方向において捌き部材１４に係止され、重送が防止される。
【００３６】
凹部１０において捌き部材１４を通過する紙葉類１２は吸引チャンバー７の外へ送り出されつつ、従動ローラ１５ａに付勢されながら吸引給紙ベルト３によって吸着分離時の所定搬送速度で同期搬送され、センサー装置２１によって通過枚数がカウントされる。
【００３７】
吸引給紙ベルト３によって搬送する紙葉類１２は吸着搬送装置２の吸着力が及ばない領域へ所定距離にわたって送り出された位置で次段の転送装置２０に到達する。このため、紙葉類１２は吸着搬送装置２による吸着力が作用しない状態、つまり紙葉類１２の搬送方向後部が従動ローラ１５ａと吸引給紙ベルト３によって送り出される状態か、もしくは紙葉類１２に作用する吸着搬送装置２の吸着力が小さくなった状態、つまり吸引チャンバー７の上方に位置する紙葉類１２の面積が少ない状態で次段の転送装置２０へ到達する。
【００３８】
このため、転送装置２０が転送ローラ２２と従動ローラ１５ｂによる搬送を開始すると、紙葉類１２は吸引給紙ベルト３の上を滑りながら転送装置２０の搬送速度に同期して搬送され、ジャムの発生を防止するために吸着搬送装置２より早い速度で搬送する転送装置２０と、搬送速度が異なる吸着搬送装置２との間において円滑に紙葉類１２の受け渡しを行うことができ、斜行が発生してもその度合いの増加を抑制できる。
【００３９】
従動ローラ１５ｃと転送ローラ２２の間を通る紙葉類１２はリジェクト分岐部材２４に案内されて、羽根車２６の羽根２８の間に排出される。羽根車２６はその回転により、計数紙葉類受け部材２９の上に紙葉類１２を反転させて排出する。
【００４０】
ところで、用紙１２の間に何らかの理由で粘着物が介在した場合や、湿度等の環境状況により、吸着搬送装置２が複数枚の用紙１２を同時に吸着して重送することがある。このため、制御装置はセンサー装置２１が光の透過度の違いによって紙葉類１２が重送されたことを検知し、あるいは紙葉類１２が連続した状態で連鎖搬送されて紙葉類１２の通過を検出する状態が一枚の紙葉類１２の通過に要する時間を越えて継続する場合に、リジェクト分岐部材２４をリジェクト紙受け部材２５に向けて変位させる。重送された複数枚の紙葉類１２は従動ローラ１５ｃと転送ローラ２２の間からリジェクト分岐部材２４に案内されてリジェクト紙受け部材２５の上に排出される。制御装置はセンサー装置２１が重送された紙葉類１２の後端が通過したことを検知して所定時間が経過した時点でリジェクト分岐部材２４を羽根車２６に向く方向に復帰させる。
【００４１】
制御装置は重送された複数枚の紙葉類１２をカウント数に加算せず、リジェクト紙受け部材２５の上に排出された紙葉類１２は紙葉類載置台１３に戻すことで再度搬送されてカウントされる。したがって、重送が発生しても装置を停止させる必要がなく、また全ての紙葉類を紙葉類載置台１３に戻して再計数する必要がなく、重送された紙葉類１２のみを再度計数するだけでよい。
【００４２】
計数紙葉類受け部材２９の受け台３０の上に排出された紙葉類１２は、送風口３４から噴出す空気によって紙葉類１２の間が離間するように付勢されながら、振動モータ３２による振動を受けて一辺が側板３１に沿うように整列される。
【図面の簡単な説明】
【００４３】
【図１】本発明の実施の形態における紙葉類処理装置を示す正面図
【図２】同実施の形態における紙葉類処理装置を示す斜視図
【図３】同実施の形態における紙葉類処理装置を示す斜視図
【図４】同実施の形態における紙葉類処理装置を示す斜視図
【図５】図４における吸引給紙ベルトを除去した紙葉類処理装置を示す斜視図
【図６】同実施の形態における紙葉類処理装置の吸引チャンバーを示す斜視図
【図７】同実施の形態における紙葉類処理装置を示す背面図
【図８】同実施の形態における紙葉類処理装置を示す要部拡大図
【符号の説明】
【００４４】
１    紙葉類処理装置
２    吸着搬送装置
３    吸引給紙ベルト
４    駆動ロール
５    支持ロール
６    吸引ファン
７    吸引チャンバー
８    軌道面
９    開口部
１０    凹部
１１    孔
１２    紙葉類
１３    紙葉類載置台
１４    捌き部材
１５ａ、ｂ、ｃ    従動ローラ
２０    転送装置
２１    センサー装置
２２    転送ローラ
２３    ガイド
２４    リジェクト分岐部材
２５    リジェクト紙受け部材
２６    羽根車
２７    ハブ
２８    羽根
２９    計数紙葉類受け部材
３０    受け台
３１    側板
３２    振動モータ
３３    送風ダクト
３４    送風口
【図１】
2006347652.tif 000003
【図２】
2006347652.tif 000004
【図３】
2006347652.tif 000005
【図４】
2006347652.tif 000006
【図５】
2006347652.tif 000007
【図６】
2006347652.tif 000008
【図７】
2006347652.tif 000009
【図８】
2006347652.tif 000010